(57)【要約】【課題】  本発明は、圧力センサモジュールにあって、センサハウジング (１３）内に配置された多数の圧力センサを有し、センサハウジング（１３）内と油圧式ハウジング（１２）内とに配置された多数の圧力チャネル（９）が互いに連結されているように、このセンサハウジング（１３）は、そのフランジ面（４）によって油圧式ハウジング（１２）の連結面（５）に固定されている圧力センサモジュールに関する。この場合、取付工具（６）を取り付けるための固定部（２）が、センサハウジング（１３）面に設けられている。
2007515321.tif 000002
【特許請求の範囲】
【請求項１】
特に電気油圧式ブレーキ装置用の圧力センサモジュールにあって、センサハウジング (１３）内に配置された多数の圧力センサを有し、センサハウジング（１３）内と油圧式ハウジング（１２）内とに配置された多数の圧力チャネル（９）が互いに連結されているように、このセンサハウジング（１３）は、そのフランジ面（４）によって油圧式ハウジング（１２）の連結面（５）に固定されていて、フランジ面（４）から離れて固定されていて電気端子を収容する前面（１）を有する圧力センサモジュールにおいて、取付工具（６）を取り付けるための固定部（２）が、センサハウジング（１３）面に設けられていることを特徴とする圧力センサモジュール。
【請求項２】
固定部（２）は、センサハウジング（１３）の対向している２つの側面（７）に配置されていること、及び、センサハウジング（１３）を油圧式ハウジング（１２）に固定するため、押圧力が、固定部（２）を介してセンサハウジング（１３）のフランジ面（４）に伝達可能であることを特徴とする請求項１に記載の圧力センサモジュール。
【請求項３】
固定部（２）は、側面（７）の一部によって形成されていて、取付工具（６）が、この一部内に差し込まれ、この取付工具（８）は、押圧力を固定部（２）に伝える平面（８）を有することを特徴とする請求項１又は２に記載の圧力センサモジュール。
【請求項４】
押圧力を伝えるために必要な取付工具（６）の平面（８）は、センサハウジング（１３）の固定部（２）に対して横に延在していることを特徴とする請求項３に記載の圧力センサモジュール。
【請求項５】
取付工具は、複数の部分から構成されていて、これらの部分のうちの第１工具部分（６ａ）は、センサハウジング（１３）の固定部（２）に沿って配置されていて、第２工具部分（６ｂ）は、この第１工具部分（６ａ）の上に配置されていることを特徴とする請求項４に記載の圧力センサモジュール。
【請求項６】
第１工具部分（６ａ）は、Ｕ字形プロフィールから成り、このＵ字形プロフィールは、固定部（２）と共に摺動連結部を形成すること、及び、第２工具部分（６ｂ）は、工具ブリッジから成り、この工具ブリッジは、押圧力をセンサハウジング（１３）に伝えるために必要な第１工具部分（６ａ）の平面（８）に当接することを特徴とする請求項５に記載の圧力センサモジュール。
【請求項７】
多数のシリンダ状部材（３）が、センサハウジング（１３）のフランジ面（４）の範囲内でこのセンサハウジング（１３）から突出していて、これらの部材は、固定部分を少なくとも有し、この固定部分は、取付工具（６）にかかる押圧力の作用下でセンサハウジング（１３）と油圧式ハウジング（１２）とを取り外し不可能に連結することを特徴とする請求項１に記載の圧力センサモジュール。
【請求項８】
シリンダ状部材（３）は、油圧式ハウジング（１２）内の圧力を検出するための測定要素を支持し、さらにこれらのシリンダ状部材（３）は、測定管として構成されていて、これらの測定要素は、これらの測定管のセンサハウジング（１３）方向に指向された管端部に対して固定されていることを特徴とする請求項７に記載の圧力センサモジュール。
【請求項９】
シリンダ状部材（３）は、油圧式ハウジング（１２）内で発生する圧力をセンサハウジング（１３）の方向に誘導するための圧力管として構成されていることを特徴とする請求項７に記載の圧力センサモジュール。
【発明の詳細な説明】
【技術分野】
【０００１】
本発明は、請求項１の上位概念に記載の車両内の特にスリップ制御されたブレーキ装置用の圧力センサモジュールに関する。
【背景技術】
【０００２】
圧力センサをスリップ制御されるブレーキ装置内に組み込むことが、国際特許出願公開第01/85511号明細書から公知である。この明細書中に記されている実施形は、個々のセンサの統合に関する。これらのセンサは、折り曲げて留めることによって油圧装置内に直接固定されている。
【０００３】
圧力センサモジュールが、ヨーロッパ特許発明第 1068120号明細書から既に公知である。この圧力センサモジュールの複数の圧力センサが、コニカルニップル及び止め輪を介してセンサハウジング内に経費をかけて固定されている。センサハウジング又は油圧ハウジングを多数のボルトによって互いに連結できるようにするためには、多数の中ぐり孔及びボルト孔をこれらの両ハウジング内に配置し経費をかけて製造する必要がさらにある。ボルトの必要な引張モーメントを下回った場合、隙間及びボルトの緩みが発生しうる。
【特許文献１】国際特許出願公開第01/85511号明細書
【特許文献２】ヨーロッパ特許発明第 1068120号明細書
【発明の開示】
【発明が解決しようとする課題】
【０００４】
本発明の課題は、可能な限り簡単に製造可能な圧力センサモジュールを提供することにある。この圧力センサモジュールのセンサハウジングは、可能な限り小さい構造で可能な限り簡単にかつ確実に油圧ハウジングに固定され得る。
【課題を解決するための手段】
【０００５】
この課題は、冒頭で述べた種類の圧力センサモジュールに対して請求項１に記載の特徴によって解決される。
【０００６】
本発明のその他の利点，特徴及び使用可能性は、従属請求項及び多数の図面に基づく多数の実施の形態の以下の説明に記載されている。
【発明を実施するための最良の形態】
【０００７】
図１〜４中には、圧力センサモジュールが示されている。この圧力センサモジュールは、好ましくは車両内のスリップ制御される油圧式ブレーキ装置に対して使用される。この圧力センサモジュールの油圧式ハウジング１２は、図２〜４中に明瞭に示されている。
【０００８】
図１は、多数のシリンダ状部材３がセンサハウジング１３のフランジ面４の領域内でこのセンサハウジング１３から突出していることを示す。これによって、各部材３が、少なくとも１つの固定部分を有する。この固定部分は、センサハウジング１３と油圧ハウジング１２との取り外し不可能な加圧連結を取付工具６にかかる押圧力の作用下で可能にする。これらのシリンダ状部材３は、センサハウジング１３内部に油圧ハウジング１２内の圧力を検出するための多数の測定要素を支持する。それ故にこれらのシリンダ状部材３は、測定管として構成されている。測定要素が、センサハウジング１３方向に指向されたこれらの測定管の管端部に固定されている。
【０００９】
しかしこれらのシリンダ状部材３は、油圧式ハウジング１２内で発生する圧力をセンサハウジング１３内に配置された個別の多数の測定要素の方向に誘導するための圧力管として構成されてもよい。
【００１０】
図１では、側面７と側面７の曲面を形成する突出部分とに属する互いに離れた２つの部分又は溝状の凹部としての最も簡単な形の固定部２が示されている。取付工具６が、第１側面７に対向する第２側面１０に配置された図３中で確認できるもう１つの部分に沿って嵌合するのと同様にこの互いに離れた２つの部分又は溝状の凹部に嵌合する。
【００１１】
ブロック状の油圧式ハウジング１２に取り付ける前の既に図１に基づいて説明した細長い圧力センサモジュールが、図２から分かる。圧力センサモジュールの重要な構成要素として形成されたブロック状のセンサハウジング１３のフランジ面４が、ブロック状の油圧式ハウジング１２の平坦な連結面１２の上で整合されている。この連結面１２は、一列に相前後して配置された多数の圧力チャネル９を有する。
【００１２】
小さく構成されたセンサハウジング１３を油圧式ハウジング面に機械的に整合させ固定することを可能にするため、取付工具６を取り付けるため、固定部２が、センサハウジング１３面に設けられている。
【００１３】
これに対して、図２は、センサハウジング１３の向かい合った両側面７，１０のうちの１つの側面に沿った固定部２を示す。この側面は、取付工具６の両脚部のうちの１つの脚部によって広範囲で覆われている。一方ではセンサハウジング１３を油圧式ハウジング１２に整合可能にするため、他方ではセンサハウジング１３を油圧式ハウジング１２に対して固定するために必要な押圧力を固定部２上の脚部を介してセンサハウジング１３に伝えることを可能にするため、取り外し不可能に接する加圧連結をフランジ面４から突出している部材３と油圧式ハウジング１２の圧力チャネル９との間に実現可能にするため、取付工具６の両脚部が、センサハウジング１３の両側から突出するまで、これらの両脚部は、例えばセンサハウジング１３の右側から両側面７，１０の固定部２に沿って差し込まれている。
【００１４】
この実施の形態では、押圧力をセンサハウジング１３に伝えるため、取付工具６が２つの部材から構成されている。これに対して、第１工具部分６ａが、センサハウジング１３の固定部２に沿って配置されている脚部を有し、第２工具部分６ｂが、第１工具部分６ａの上に配置されている。したがってこの第１工具部分６ａは、固定部２と共に摺動連結部を形成する容易に製造可能なＵ字形プロフィールから成る。これに対して第２工具部分６ｂは、工具ブリッジから成る。この工具ブリッジは、押圧力をセンサハウジング１３に伝えるために必要な第１工具部分６ａの脚部の範囲内にある平面８上に当接する。この工具ブリッジは、フライス盤によって簡単に製造可能なＣ字形プロフィールにほぼ一致する。このＣ字形プロフィールは、センサハウジング１３をその全幅にわたって覆う。これによって、１つ又は多数の工具型に対して広い設置面を工具ブリッジ上で得られる。その結果、部材３を圧力チャネル９に沿って押圧するため、均一に分布した押圧力が、センサハウジング１３の幅に沿って生成され得る。
【００１５】
したがって、センサハウジング１３の固定部２から外側に突出している第１工具部分６ａの領域の平面８が、押圧力を固定部２に伝えるために使用される。第２工具部分６ｂの脚部が、この第１工具部分６ａの平面部分に当接している（図４参照）。
【００１６】
図３は、油圧式ハウジング１２の垂直軸線の周りに回転したセンサハウジング１３の図である。その結果、先の図１，２中で覆い隠された側面１０が確認できる。この側面１０は、取付工具６用の固定部２として長手溝を有する。第１工具部材６ａの一方の脚部が、この長手溝に沿って差し込まれる。ブリッジ状の第２工具部分６ｂが、第１工具部分６ａの上に存在する。第１工具部分６ａが、センサハウジング１３の側面を完全に摺動した直後に、この第２工具部分６ｂの両脚部から突出している圧力ヘッド１１が、第１工具部分６ａの両端部に当接する。
【００１７】
図４は、油圧式ハウジング１２の図である。この油圧式ハウジング１２は、複数の弁収容孔から構成された第１弁列Ｘ，この第１弁列Ｘの隣に配置された第２弁列Ｙ及びポンプ孔１４に隣接した電気的に操作可能な流入弁を収容する第３弁列Ｚを有する。電気的に操作可能な締切弁及び逆転弁が、第１弁列Ｘに沿って差し込まれている。電気的に操作可能な排出弁が、第２弁列Ｙに沿って差し込まれている。第３弁列Ｚは、センサハウジング１３のすぐ隣に配置されている。
【００１８】
連結面５の範囲内の狭い占有比率に起因して、冒頭で述べた湾曲状に制約された側面７が、センサハウジング１３面に形成されている。したがってこの側面７は、第３弁列Ｚの弁収容孔から突出している弁の一部に場所を節約して最適に適合されている。
【００１９】
センサハウジング１３は、図４中では第２工具部分６ｂによって覆われている。この第２工具部分６ｂは、センサハウジング１３から突出している部材３を第１工具部分６ａ上に押圧するために搭載されている。
【００２０】
部材３と油圧式ハウジング１２とを取り外し不可能に連結するため、中空シリンダ状の部材３は、その円周に沿って少なくとも１つのリング状に包囲する高いの材料硬度の締付部を有する。油圧式ハウジング１２の圧力チャネル９内への部材３の侵入深さに関係なく、密閉と固定を目的としたこの締付部１０に比べて柔らかい油圧式ハウジング１２の材料が、取付工具６の作用によってこの締付部に沿って押しのけられている。それ故に部材３は、鋼、特に快削鋼又は真鍮から成る。その一方で油圧式ハウジング１２は、軽金属、特にアルミニウム合金から製造されている。これに対しては、押出プロフィール(Strangpressprofil) が特に良好に適している。
【００２１】
特に簡単に油圧式ハウジングに整合可能でかつ非常に強固な圧力センサモジュールが、本発明によって提供される。圧力センサモジュールを油圧式ハウジングに対して自動的に取り付けるための特別な材料補強材及びセンサハウジング１３を収容し取り付ける広くした平面を設ける必要なしに、この圧力センサモジュールのセンサハウジング１３は、極めて場所を節約し同時に極めて細く構成され得る。
【図面の簡単な説明】
【００２２】
【図１】それ自体の穿ちによってセンサハウジングに固定された多数の部材を有するこのセンサハウジングの投影図である。
【図２】油圧ハウジングの投影図である。センサハウジングが、取付工具によってこの油圧ハウジング上に固定される。
【図３】図２中に示された対象物を下から見た回転図である。
【図４】油圧ハウジング及び取付工具を上から見た図である。
【符号の説明】
【００２３】
１  前面
２  固定部
３  部材
４  フランジ面
５  連結面
６  取付工具
６ａ  工具部分
６ｂ  工具部分
７  側面
８  平面
９  圧力チャネル
１０  側面
１１  圧力ヘッド
１２  油圧式ハウジング
１３  センサハウジング
１４  ポンプ孔
【図１】
2007515321.tif 000003
【図４】
2007515321.tif 000004
【図２】
2007515321.tif 000005
【図３】
2007515321.tif 000006
【国際調査報告】
2007515321.tif 000007
2007515321.tif 000008
2007515321.tif 000009
2007515321.tif 000010
2007515321.tif 000011
2007515321.tif 000012
2007515321.tif 000013
2007515321.tif 000014
2007515321.tif 000015